(57)【要約】【課題】省電力消費モード時でも用紙搬送路における搬送異常をユーザに知らせることができるようにする。【解決手段】低電力消費モードを備えた給紙装置において、用紙搬送経路内の所定個所の用紙の有無を検知する用紙検知センサ２１０−ａ，ｂと、前記用紙検知センサ２１０−ａ，ｂの検知状況を表示する発光素子２１１−ａ，ｂと、予め設定された時間を計時するタイマカウント部と、前記装置各部及び前記各手段の制御を行う制御部２０１と、前記用紙検知センサ２１０−ａ，ｂ、前記発光素子２１１−ａ，ｂ及び前記制御部２０１間の信号送信回路を切り替える切り替え回路２０８と、を備え、タイマカウント部は給紙動作が終了し、又は中断したとき、当該終了又は中断した時点から計時を開始し、制御部２０１はタイマカウント部の計時が前記予め設定した時間を経過したとき低電力消費モードに移行し、切り替え手段は信号送信回路を所定の送信経路に切り替える。【選択図】図１
2008056479.tif 000002
【特許請求の範囲】
【請求項１】
低電力消費モードを備えた給紙装置において、
用紙搬送経路内の所定個所の用紙の有無を検知する用紙検知手段と、
前記用紙検知手段の検知状況を表示する表示手段と、
予め設定された時間を計時する計時手段と、
前記装置各部及び前記各手段の制御を行う制御手段と、
前記用紙検知手段、前記表示手段及び前記制御手段間の信号送信回路を切り替える切り替え手段と、
を備え、
前記計時手段は給紙動作が終了し、又は中断したとき、当該終了又は中断した時点から計時を開始し、
前記制御手段は前記計時手段の計時が前記予め設定した時間を経過したとき前記低電力消費モードに移行し、
前記切り替え手段は信号送信回路を所定の信号経路に切り替えることを特徴とする給紙装置。
【請求項２】
前記所定の信号経路が前記用紙検知手段から前記制御手段へ送信される用紙の有無情報を前記表示手段へ直接送信する経路であることを特徴とする請求項１記載の給紙装置。
【請求項３】
前記給紙動作の終了又は中断後、前記計時手段が計時する時間を任意に設定可能な操作部を更に備えていることを特徴とする請求項１又は２記載の給紙装置。
【請求項４】
前記切り替え手段に入力される切り替え信号が、前記制御手段の駆動用電源から供給されることを特徴とする請求項１ないし３のいずれか１項に記載の給紙装置。
【請求項５】
前記切り替え信号が、省電力モード移行／非移行時の電源状態から自動的に生成されることを特徴とする請求項４記載の給紙装置。
【請求項６】
前記用紙検知手段は用紙搬送路の用紙搬送方向に間隔をおいて複数配置されていることを特徴とする請求項１記載の給紙装置。
【請求項７】
前記用紙検知手段はフォトリフレクタからなることを特徴とする請求項１ないし６のいずれか１項に記載の給紙装置。
【請求項８】
前記表示手段はＬＥＤであることを特徴とする請求項１ないし６のいずれか１項に記載の給紙装置。
【請求項９】
請求項１ないし８のいずれか１項に記載の給紙装置を備えていることを特徴とする画像形成装置。
【発明の詳細な説明】
【技術分野】
【０００１】
本発明は、記録紙、用紙、転写紙、ＯＨＰシートなどのシート状記録媒体（本明細書では単に用紙と称する）を供給する給紙装置、及びこの給紙装置を備えた複写機、プリンタ、ファクシミリ、デジタル複合機などの画像形成装置に係り、更に詳しくは、低電力消費モード（省エネモード）の機能を備えた給紙装置及び画像形成装置に関する。
【背景技術】
【０００２】
複写機、プリンタ、ファクシミリなどの画像形成装置において用紙搬送路内の用紙の搬送状況をユーザに知らせるために、ＬＥＤなどの発光素子を使用し、搬送状況を表示する表示装置を備えた装置が従来から知られている。この表示装置では、例えば正常動作時は緑、紙詰まりなどの異常時は赤がそれぞれ点灯され、あるいは点滅するように構成されている。表示装置を発光素子で構成した場合に、用紙搬送路内の紙詰まりが発生したことを検出し、発光素子を点灯あるいは点滅させる場合、例えば、
１）まず、用紙搬送路内に配置された用紙検知手段からの信号を装置本体内のＣＰＵへ送信する。  
２）ＣＰＵではその信号情報を処理し、発光素子へ制御信号を送信する。  
という制御が行われる。このように制御すると、ＣＰＵで複数の発光素子を制御することから、各発光素子の点灯あるいは点滅制御をそれぞれ行うことができ、更に点滅間隔なども自在に制御することができる。
【０００３】
この制御では、ＣＰＵが用紙搬送路内での用紙の搬送状況を判断し、前述したようにＣＰＵが発光素子へ制御信号を送信して発光素子の点灯あるいは点滅を行うが、用紙搬送状況に紙詰まりなどの異常が発生した場合には、通常、その異常が解消されるまでは発光素子は異常発生を意味する点灯あるいは点滅し続け、ユーザに給紙装置が異常状態であることを知らせ続ける。
【０００４】
一方、近来環境保護や使用コストダウンなどのために、画像形成動作を行わないときはＣＰＵへの給電を停止する省電力モード（低電力消費モード）が広く採用されている。しかしながら、省電力モードを取り入れた画像形成装置にあっては、異常状態のまま、省電力モードになってしまうとＣＰＵへの電源供給が停止されるので、表示装置の制御を行うことができず、ユーザに異常状態であることを知らせることができない。そこで、例えば特許文献１及び２には、画像形成を行わないときは画像形成に必要なセンサの電源を遮断し、紙詰まりなどを検知するセンサは動作可能にすることが提案されている。
【特許文献１】特開２００５−２５０６６号公報
【特許文献２】特許第３６２７７２３号公報
【発明の開示】
【発明が解決しようとする課題】
【０００５】
しかしながら、上記の従来技術においては、夜中などユーザが装置の周囲にいない場合に、例えばファクシミリ受信などで装置が給紙動作を行い、紙詰まりが起こった場合には、省電力消費モードに移行せず、翌朝にユーザが紙詰まりを解消させるまではＣＰＵ制御で表示装置の点灯・点滅を行うようにすれば上記のような欠点は解消されるが、省電力消費モードに移行することができず、電力を無駄に消費してしまう。
【０００６】
本発明はこのような従来技術の実情に鑑みてなされたもので、その目的は、省電力消費モード時でも用紙搬送路における搬送異常をユーザに知らせることができるようにすることにある。
【課題を解決するための手段】
【０００７】
前記目的を達成するため、第１の手段は、低電力消費モードを備えた給紙装置において、用紙搬送経路内の所定個所の用紙の有無を検知する用紙検知手段と、前記用紙検知手段の検知状況を表示する表示手段と、予め設定された時間を計時する計時手段と、前記装置各部及び前記各手段の制御を行う制御手段と、前記用紙検知手段、前記表示手段及び前記制御手段間の信号送信回路を切り替える切り替え手段と、を備え、前記計時手段は給紙動作が終了し、又は中断したとき、当該終了又は中断した時点から計時を開始し、前記制御手段は前記計時手段の計時が前記予め設定した時間を経過したとき前記低電力消費モードに移行し、前記切り替え手段は信号送信回路を所定の信号経路に切り替えることを特徴とする。
【０００８】
第２の手段は、第１の手段において、前記所定の信号経路が前記用紙検知手段から前記制御手段へ送信される用紙の有無情報を前記表示手段へ直接送信する経路であることを特徴とする。
【０００９】
第３の手段は、第１又は第２の手段において、前記給紙動作の終了又は中断後、前記計時手段が計時する時間を任意に設定可能な操作部を更に備えていることを特徴とする。
【００１０】
第４の手段は、第１ないし第３のいずれかの手段において、前記切り替え手段に入力される切り替え信号が、前記制御手段の駆動用電源から供給されることを特徴とする。
【００１１】
第５の手段は、第４の手段において、前記切り替え信号が、省電力モード移行／非移行時の電源状態から自動的に生成されることを特徴とする。
【００１２】
第６の手段は、第１の手段において、前記用紙検知手段は用紙搬送路の用紙搬送方向に間隔をおいて複数配置されていることを特徴とする。
【００１３】
第７の手段は、第１ないし第６のいずれかの手段において、前記用紙検知手段はフォトリフレクタからなることを特徴とする。
【００１４】
第８の手段は、第１ないし第６のいずれかの手段において、前記表示手段はＬＥＤであることを特徴とする。
【００１５】
第９の手段は、第１ないし第８のいずれかの手段に係る給紙装置を画像形成装置が備えていることを特徴とする。  後述の実施の形態において、用紙検知手段は用紙検知部２１０、第１及び第２の用紙検知センサ２１０−ａ，２１０−ｂに、表示手段は表示部２１１、第１及び第２の発光素子２１１−ａ，２１１−ｂに、制御手段は制御部２０１に、切り替え手段は切り替え回路２０８に、計時手段はタイマカウント部２１５に、操作部は参照番号２１２に、フォトリフレクタは参照番号４１０−ａ，４１０−ｂに、ＬＥＤは参照番号４１１−ａ，４１１−ｂに、それぞれ対応する。
【発明の効果】
【００１６】
本発明によれば、低電力消費モードに移行後、制御手段の電源が停止した状態でも用紙検知手段と表示手段は機能しているので、低電力消費モード時においてもユーザは用紙搬送路における搬送異常を知ることができる。
【発明を実施するための最良の形態】
【００１７】
以下、図面を参照し、本発明の実施形態について説明する。
【００１８】
図１は本発明の一実施形態に係る給紙装置を備えた画像形成装置の概略構成を示す図である。この実施形態においては画像形成装置を電子写真式の複写機を例にとっている。複写機の機能としては一般的であるので構成概要だけを述べる。
【００１９】
複写機は、読み取り部１２０、書き込み部１３０、作像部１６０、給紙部１７０、定着部１８０、及び排紙部１９０からなる。読み取り部１２０は、光源１２１、集光レンズ１２２、反射ミラー群１２３、読み取り素子１２４、及びファン１２５を備えている。光源１２１は原稿を照明する照明光の光源であり、照明により原稿から反射される反射光を、ミラー群１２３を介して集光レンズ１２２に導き、集められた反射光を読み取り素子１２４に入射させる。読み取り素子１２４では、入射した光を電気信号に変換し、原稿読み取った電気信号として出力する。ファン１２５は、光源１２１から発生する熱を外部に逃がす機能を有する。
【００２０】
書き込み部１３０は、発光源１３１、ポリゴンミラー１３２、レンズ群１３３、及びミラー１３４を備えている。発光源１３２はレーザ光源であり、発光源１３２から出射されたレーザ光は線状に集光されてポリゴンミラー１３２に入射する。ポリゴンミラー１３２で反射されたレーザ光は、バレルトリダルレンズやｆθレンズからなるレンズ群で傾きが補正され、等角速度偏向から等速度偏向に変換されてミラー１３４に入射し、作像部の感光体ドラム１３６表面に照射される。
【００２１】
作像部１６０は、前記感光体ドラム１３６、この感光ドラム１３６の外周に沿って配置された帯電チャージャ１３５、現像器（現像ローラ）１３７、転写チャージャ１４０、分離チャージャ１４１、クリーニングユニット１４３及び図示しない除電チャージャを備えている。書き込み部１３０からの光書き込みは、帯電チャージャ１３５によって帯電された感光ドラム１３６表面に対して行われ、静電潜像が書き込まれる。静電潜像は現像器１３７によってトナー現像され、転写チャージャ１４０で用紙側に転写され、分離チャージャ１４１で用紙を分離した後、定着部１８０側に搬送される。転写チャージャ１４０によって用紙側に転写されずに感光体ドラム側に残留したトナーはクリーニングユニット１４３によって清掃され、更に、感光体ドラム１３６表面に残った電荷は除電チャージャによって除電され、次の画像形成に備える。
【００２２】
給紙部１７０は、給紙カセット１３８、給紙ローラ１３９及びレジストローラ１４６からなる。給紙カセット１３８は本実施形態では２台設けられ、当該給紙カセット１３８の最下流側にそれぞれ給紙ローラ１３９が配されている。レジストローラ１４６は給紙ローラ１３９の下流側で転写チャージャ１４０の上流側に設けられ、感光ドラム１３６上で現像されたトナー像の先端とタイミングを取って用紙を送り出す。なお、この給紙部は給紙装置として機能する。
【００２３】
定着部１８０は、搬送装置１４７及び熱定着装置１４２からなる。熱定着装置１４２は加熱ローラと加圧ローラを備え、分離チャージャ１４１で感光体ドラム１３６から分離された用紙を搬送装置１４７によって搬送し、前記加熱ローラと加圧ローラ間のニップを用紙が通過する間に、熱と圧力によってトナーを用紙表面に定着させる。搬送装置１４７は吸気による発生する負圧により用紙を搬送ベルト上に吸着させ、前記ニップに用紙を導く。
【００２４】
排紙部１９０は、排紙ローラ群１４４、トレイセレクタ１４５、複数段の排紙トレイ１０１及び排紙検知装置１０２を備えている。この排紙部１９０はソータとして機能し、排紙トレイ１０１上の用紙の有無、用紙の積載高さを排紙検知装置１０２によって検知する。
【００２５】
また、画像形成装置本体上部には操作表示装置１５０が設けられている。この操作表示装置１５０は操作入力のための操作ボタンが設けられ、また、給紙部、作像部、排紙部の検知状態を含む種々の操作情報、作動情報を表示する液晶表示パネルと、用紙搬送状態を表示する表示部２１１が設けられている。
【００２６】
図２は前記給紙部１７０の制御（電気的）構成を示すブロック図である。給紙部１７０の制御構成は、本体制御基板２１７、電源２１４、操作部２１２、用紙検知部２１０、及び表示部２１１からなり、給紙部２００に本体制御基板２７１が接続されている。電源２１４は、電源スイッチ（ＳＷ）２１３によりオン／オフされ、給紙ローラ１３９を駆動するためのモータ（図示しない）などへ電源を供給する。操作部２１２は給紙部２００の操作のための指示と表示を行う。本体制御基板２１７は画像形成装置全体の制御を司り、用紙検知部２１０は用紙搬送路内の用紙の有無を検出する。表示部２１１は、ユーザへ給紙部の用紙搬送状況を表示し、発光素子から構成されている。本体制御基板２１７は、ＣＰＵ回路部２０２、ＩＯ回路部２０６、及び切り替え回路２０８からなり、ＣＰＵ回路２０２は設定された所定の時間を計時するタイマカウント部２１５を備えている。ＩＯ回路部２０６は、用紙検知部２１０、表示部２１１、図示しないその他のセンサ、モータなどの負荷への信号の入出力を行い、切り替え回路２０８は切り替え信号２０９によって用紙検知部２１０と表示部２１１とを切り替える。
【００２７】
図３は図２の本体制御基板２１７を更に詳細に示すブロック図である。本体制御基板２１７は、制御部２０１及び切り替え回路２０８から基本的に構成されている。制御部２０１は、ＣＰＵ回路部２０２及びＩＯ回路部２０６からなる。ＣＰＵ回路部２０２は、給紙部及び複写機全体の制御を行うＣＰＵ２０３と、制御用プログラムを記憶するＲＯＭ２０４と、制御に必要なワークエリアを提供するＲＡＭ２０５とから主に構成されている。またここでは図示していないが、ＣＰＵ２０３は図１で示したタイマカウント部２１５を含んでいる。ＩＯ回路部２０６には、ＩＯ制御用ＡＳＩＣ２０７が搭載されており、このＩＯ制御用ＡＳＩＣ２０７がＩＯ制御を行っている。このＩＯ回路部２０６はＣＰＵ回路部２０２と切り替え回路２０８に接続され、切り替え回路２０８には回路切り替え信号２０９が印加されている。
【００２８】
用紙検知部２１０は、本実施形態では、第１及び第２の２つの用紙検知センサ２１０−ａ，２１０−ｂを備え、第１及び第２の用紙検知センサ２１０−ａ，２１０−ｂは用紙搬送方向上流側からこの順で配置されている。表示部２１１は、前記第１及び第２の前記用紙検知センサ２１０−ａ，２１０−ｂにそれぞれ対応する第１及び第２の発光素子２１１−ａ，２１１−ｂを備えている。これらの発光素子２１１−ａ，２１１−ｂは、用紙検知センサ２１０−ａ，２１０−ｂの用紙検知の状態に応じて点灯し、又は点滅する。
【００２９】
この制御構成において、用紙検知部２１０の信号をＣＰＵ２０３で処理する場合の手順について説明する。まず、用紙が搬送され、用紙先端が第１の用紙検知センサ２１０−ａに到達すると、その検知情報がＣＰＵ２０３に送信される。検知情報を受信したＣＰＵ２０３は、受信した瞬間からタイマカウント部２１５において時間のカウントを開始する。そして、カウント開始からある一定の時間内に第２の用紙検知センサ２１０−ｂから用紙ありの情報が送信されると正常に用紙が用紙搬送路を搬送されていると判断し、ＣＰＵ２０３が表示部２１１に正常動作時の発光素子の制御信号を出力する。逆にカウント開始から一定時間内に用紙検知センサ２１０−ｂから用紙ありの情報が送信されないと、用紙がどこかに詰まっていることになり、紙詰まりと判断する。これにより、ＣＰＵ２０３は表示部２１１に紙詰まり時の制御信号を出力し、その信号がＩＯ制御ＡＳＩＣ２０７を通して表示部２１１に伝達され、表示部２１１の発光素子２１１−ａ，ｂが点灯・点滅する。又は用紙の先端が用紙検知部２１０に到達した瞬間から時間のカウントを開始し、ある一定時間以上用紙検知部２１０が用紙ありの情報を送信しつづけても、用紙検知部２１０付近で紙詰まりが発生したものと判断して紙詰まり時の発光素子２１１−ａ，ｂの制御信号を出力する。ここでの一定時間内とは、搬送される用紙の大きさに依存するものであり、用紙サイズが大きくなると、それに比例してこの時間も長くなる。この用紙サイズと一定時間の関係は通常、ＣＰＵ回路部２０２内のＲＯＭ２０４に保存されている。そして予め設定された省電力モード移行時間がたつと、装置は省電力モードに入る。なお、本実施形態では、前記第１の用紙検知センサ２１０−ａは例えば給紙ローラ１４６の用紙搬送方向の直後に、前記第２の用紙検知センサ２１０−ｂは例えばレジストローラ１４６の用紙搬送方向の直前にそれぞれ設けると良い。なお、用紙検知センサ２１０−ａ，２１０−ｂの設置位置は給紙装置の構成、形式、搬送路長などに応じて適宜設定される。
【００３０】
図４は本実施形態における給紙部の動作手順を示すフローチャートである。同図において、動作が開始されると最初に、タイマカウント部２１５で時間のカウントを開始し（ステップＳ１００１）、給紙動作を行う（ステップＳ１００２）。そこで前述したように用紙検知部２１０からの情報とＲＯＭ２０５に保存されている用紙サイズと搬送時間との所定の関係をＣＰＵ２０３で処理し、正常に用紙搬送が終了したか否かをチェックする（ステップＳ１００３）。正常に用紙搬送が終了したと判断した場合には、次の給紙動作があるか否かをチェックする（ステップＳ１００４）。次の給紙動作がある場合には、一度タイマカウントをストップ・クリアし（ステップＳ１００５）、再びステップＳ１００１に戻り。カウントを始動させ次の給紙動作に入る。
【００３１】
ステップＳ１００４において次の給紙動作がない場合には、カウントを続け、カウント時間が省エネ設定時間と同じになったかをチェックし（ステップＳ１００６）、同じ時間になると装置は省電力モードに入る。
【００３２】
ステップＳ１００３において、用紙検知部２１０からの情報とＲＯＭ２０５に保存されている、ある一定時間の関係をＣＰＵ２０３で処理し、正常に用紙搬送が終了したと判断されなかった場合には、紙詰まりが発生したと判断する（ステップＳ１００７）。そして、紙詰まりが解消されたかをチェックする（ステップＳ１００８）。紙詰まりが解消されない場合はステップＳ１００６に進み、カウントを続ける。そしてそのカウント時間が省エネ設定時間と同じになると省電力モードに入る。
【００３３】
このとき、ＣＰＵ２０３は回路切り替え信号２０９を切り替え、切り替え回路２０８により用紙検知部２１０と表示部２１１を直接接続する。この状態でＣＰＵ２０３の電源供給を停止したとしても発光素子は点灯することができる。なお、ここでは用紙搬送路内に用紙検知部２１０がある場合について説明を行ったが、用紙検知部２１０はこれだけに限らず、例えば用紙搬送路外に設置しても良い。例えば、用紙搬送路内に用紙があるときだけＯＮするような部品の動作を検出するようにしても良い。
【００３４】
図５は図３の切り替え回路２０８の具体例を示すブロック図である。切り替え回路２０８は基本的に第１及び第２のセレクタ３０１，３０２、ドライバ３０３、インバータ３０４から構成されている。第１及び第２のセレクタ３０１，３０２にはセレクタ自身用の電源入力端子及びＧＮＤ端子のほかに、信号入力端子、信号出力端子及び出力状態を決定する端子（通常ＯＥ端子：Ｏｕｔ  Ｅｎａｂｌｅ端子）が設けられている。以下、第１及び第２のセレクタ３０１，３０２の動作の概要について説明する。
【００３５】
通常、Ａｃｔｉｖｅ  Ｌｏｗのセレクタであれば、ＯＥ端子にＬレベルの信号が入力されると、出力端子からは入力端子と同じレベルの信号が出力される。例えばＯＥ端子にＬレベルが入力され、入力端子にＨレベルが入力されていたとすると、出力端子にはＨレベルが出力される。逆にＬレベルが入力されるとＬレベルが出力される。またＯＥ端子にＨレベルの信号が入力されると、出力は入力レベルに関係なくハイインピーダンスとなる。例えばＯＥ端子にＨレベルが入力されていて、入力端子にＨレベルが入力されても出力はハイインピーダンスとなる。
【００３６】
この切り替え回路２０８においては、回路切り替え信号２０９は第２のセレクタ３０２に直接印加され、同時にインバータ３０４を介して第１のセレクタ３０１に印加される。回路切り替え信号２０９がＨレベルのときには、第１のセレクタ３０１のＯＥ端子にはＬレベルが入力されることになり、出力は第１のセレクタ３０１の入力、すなわちＩＯ回路部２０６の出力と同レベルとなる。このとき第２のセレクタ３０２のＯＥ端子にはＨレベルが入力されるので、出力はハイインピーダンスとなっている。
【００３７】
したがって、信号の流れとしては用紙検知部２１０からの信号情報はまずＩＯ回路部２０６へ入力され、更にＣＰＵ回路部２０２へ入力され処理される。処理された情報に基づきＣＰＵ回路部２０２からＩＯ回路部２０６へ表示部２１１の制御信号が出力され、ドライバ３０３を介して表示部２１１へ伝達される。逆に回路切り替え信号がＬレベルのときには第１のセレクタ３０１の出力はハイインピーダンスとなり、第２のセレクタ３０２の出力は入力と同じレベル、すなわち用紙検知部２１０の出力と同レベルになる。このとき第２のセレクタ３０２の出力信号はドライバ３０３を介して表示部２１１へ伝達される。ここではドライバ３０３を用いて表示部２１１をドライブするような構成としているが、セレクタ３０１，３０２でドライブ可能であれば省いても問題ない。
【００３８】
以上説明したように回路切り替え信号２０９の信号レベルにより用紙検知部２１０が検知した用紙の有無情報を、制御部２０１を介して表示部２１１へ伝達するか否かを決定することができる。例えば回路切り替え信号２０９が省電力モードの状態で決定されるのであれば、省電力モード非移行時には回路切り替え信号２０９がＨレベル、省電力モード移行時には回路切り替え信号２０９がＬレベルとすれば、省電力モード非移行時には用紙検知部２１０が検知した用紙の有無情報を、制御部２０１を介して表示部２１１へ伝達させ、省電力モード移行時には用紙検知部２１０が検知した用紙の有無情報を、制御部２０１を介さず直接表示部２１１へ伝達させることができる。
【００３９】
図６は図５の用紙検知部２１０と表示部２１１の具体例を示すブロック図である。すなわち、用紙検知部２１０の第１及び第２の用紙検知センサ２１０−ａ，２１０−ｂを第１及び第２の２つのフォトリフレクタ（反射型光センサ）４１０−ａ，４１０−ｂで構成し、表示部２１１を第１及び第２の２つのＬＥＤ４１１−ａ，４１１−ｂでそれぞれ構成している。第１及び第２のフォトリフレクタ４１０−ａ，４１０−ｂ内にそれぞれ搭載されているフォトトランジスタのコレクタは、第２のセレクタ３０２及びＩＯ回路２０６の入力に接続されており、各エミッタはＧＮＤへ接続されている。また各コレクタは抵抗を介して電源（＋５ＶＥ）でプルアップされている。
【００４０】
このような構成において、第１及び第２のフォトリフレクタ４１０−ａ，４１０−ｂの発光・受光面に用紙がある場合には、第１及び第２のフォトリフレクタ４１０−ａ，４１０−ｂ内の各ＬＥＤの光が用紙表面で反射しフォトトランジスタへ入射し、フォトトランジスタがＯＮになる。これによりコレクタとエミッタが導通した状態となり、第２のセレクタ３０２及びＩＯ回路部２０６の入力はＬレベルとなる。逆に用紙がない場合には、フォトトランジスタにＬＥＤ光が入射しないことからフォトトランジスタはＯＦＦ状態となり、第２のセレクタ３０２及びＩＯ回路部２０６の入力はＨレベルとなる。
【００４１】
回路切り替え信号２０９がＨレベルの場合は、第１及び第２のフォトリフレクタ１０−ａ，４１０−ｂの出力はＩＯ回路部２０６へ入力され、その後ＣＰＵ回路部２０２へ伝達されＣＰＵ２０３で処理された後、再びＩＯ回路部２０６を介して第１及び第２のＬＥＤ４１１−ａ，４１１−ｂへ伝達される。回路切り替え信号２０９がＬレベルだった場合にはフォトリフレクタ４１０の出力は直接第１及び第２のＬＥＤ４１１−ａ，４１１−ｂへと伝達される。このとき第１及び第２のフォトリフレクタ４１０−ａ，４１０−ｂの発光・受光部に用紙があった場合には第１及び第２のＬＥＤ４１１−ａ，４１１−ｂが点灯し、用紙がない場合には第１及び第２のＬＥＤ４１１−ａ，４１１−ｂは共に点灯しない。
【００４２】
図７は回路切り替え信号２０９として制御部２０１の駆動用電源４１２を用いた場合の本体制御基板２１０と用紙検知部２１０及び表示部２１１の具体例を示すブロック図である。制御部駆動用電源４１２は、制御部２０１のＣＰＵ回路部２０２、ＩＯ回路部２０６に電源を供給するとともに、切り替え回路２０８のインバータ３０４にも回路切り替え信号として印加している。これにより、省電力モード移行／非移行時の電源状態から自動的に回路切り替え信号２０９を生成することができる。この場合、第１及び第２のフォトリフレクタ４１０−ａ，４１０−ｂ、第１及び第２のＬＥＤ４１１−ａ，４１１−ｂ、第１及び第２のセレクタ３０１，３０２、及びインバータ３０４の電源は省電力モード移行時でも供給が停止されない電源であることが必要となる。
【図面の簡単な説明】
【００４３】
【図１】本発明の一実施形態に係る給紙装置を備えた画像形成装置の概略構成を示す図である。
【図２】給紙装置の電気的な構成を示すブロック図である。
【図３】図２の本体制御基板を更に詳細に示すブロック図である。
【図４】本実施形態における給紙装置の動作を説明するためのフローチャートである。
【図５】図３の切り替え回路の具体例を示すブロック図である。
【図６】図５の用紙検知部と表示部の具体例を示すブロック図である。
【図７】回路切り替え信号として制御部の駆動用電源を用いた場合の本体制御基板と用紙検知部及び表示部の具体例を示すブロック図である。
【符号の説明】
【００４４】
１０１  排紙トレイ
１２０  読み取り光学系
１３０  書き込み光学系
１３６  感光体ドラム
１３７  現像ローラ
１３９  給紙ローラ
１４６  レジストローラ
１６０  作像部
１７０  給紙部
１８０  定着部
１９０  排紙部
２００  本体制御基板
２０１  制御部
２０８  切り替え回路
２１０  用紙検知部
２１０−ａ，２１０−ｂ  用紙検知センサ
２１１  表示部
２１１−ａ、２１１−ｂ  発光素子
２１２  操作部
２１４  電源
２１５  タイマカウント部
２０２  ＣＰＵ制御部
４１０−ａ，４１０−ｂ  フォトリフレクタ
４１１−ａ，４１１−ｂ  ＬＥＤ
【図１】
2008056479.tif 000003
【図２】
2008056479.tif 000004
【図３】
2008056479.tif 000005
【図４】
2008056479.tif 000006
【図５】
2008056479.tif 000007
【図６】
2008056479.tif 000008
【図７】
2008056479.tif 000009